【手続補正書】
【提出日】平成17年9月20日(2005.9.20)
【手続補正１】
【補正対象書類名】明細書
【補正対象項目名】発明の名称
【補正方法】変更
【補正の内容】
【発明の名称】トレー機構および記録媒体駆動装置
【手続補正２】
【補正対象書類名】明細書
【補正対象項目名】特許請求の範囲
【補正方法】変更
【補正の内容】
【特許請求の範囲】
【請求項１】  筐体に設けられた細長形状の開口部を介して該筐体の内部と外部にわたって出没可能に設けられたトレー本体と、
前記トレー本体の前端に取着され、前記トレー本体が前記筐体内に引込まれた状態で前記筐体の外側に位置し前記開口部を覆う細長形状のトレー蓋とを備え、
前記トレー蓋の前記トレー本体に対する取着は、前記トレー本体の前記出没する方向および前記トレー蓋の長手方向の双方向に対して直交する方向に延在する軸心を支点として揺動できるように、前記トレー蓋が前記トレー本体に結合されることでなされている、
ことを特徴とするトレー機構。
【請求項２】  光ディスクを回転駆動する駆動手段と、
前記駆動手段によって回転駆動する光ディスクに対し、光を照射し、前記光ディスクからの反射光を検出する光ヘッドと、
前記駆動手段および光ヘッドを収容しその外面に操作部が設けられた筐体とを有し、
前記筐体の内部と外部にわたって前記光ディスクの出し入れを行なうトレー機構を設けた記録媒体駆動装置において、
前記トレー機構は、
前記光ディスクが載置され、前記筐体に設けられた細長形状の開口部を介して該筐体の内部と外部にわたって出没可能に設けられるトレー本体と、
前記トレー本体の前端に取着され、前記トレー本体が前記筐体内に引込まれた状態で前記筐体の外側に位置し前記開口部を覆う細長形状のトレー蓋とを備え、
前記トレー蓋の前記トレー本体に対する取着は、前記トレー本体の前記出没する方向および前記トレー蓋の長手方向の双方向に対して直交する方向に延在する軸心を支点として揺動できるように、前記トレー蓋が前記トレー本体に結合されることでなされている、
ことを特徴とする記録媒体駆動装置。
【請求項３】  前記トレー蓋の前記トレー本体に対する取着は、前記トレー蓋の長手方向の中央部が前記トレー本体に結合されることでなされていることを特徴とする請求項１記載のトレー機構または請求項２記載の記録媒体駆動装置。
【請求項４】  前記トレー蓋は、高さと、この高さよりも大きな寸法の幅を有することで前記細長形状に形成され、前記トレー蓋の長手方向の中央部で前記トレー蓋が前記トレー本体に臨む箇所に前記トレー本体に向けて連結片が突設され、前記トレー蓋の前記トレー本体に対する取着は、前記連結片の先端が前記トレー本体に揺動可能に結合されることでなされていることを特徴とする請求項１記載のトレー機構または請求項２記載の記録媒体駆動装置。
【請求項５】  前記トレー蓋は、高さと、この高さよりも大きな寸法の幅を有することで前記細長形状に形成され、前記トレー蓋の長手方向の中央部で前記トレー本体に臨む箇所に前記トレー本体に向けて連結片が突設され、前記トレー蓋の前記トレー本体に対する取着は、前記連結片の先端が前記トレー本体に揺動可能に、かつ、前記トレー本体が前記筐体内に引込まれた状態で前記開口部を覆える範囲内で前記軸心方向に移動可能に結合されることでなされていることを特徴とする請求項１記載のトレー機構または請求項２記載の記録媒体駆動装置。
【請求項６】  前記トレー本体の前端は直線状に延在する前辺を備え、前記トレー本体と前記トレー蓋との間に、前記トレー蓋が前記前辺に対して平行した状態で延在する姿勢が保持されるように該トレー蓋を付勢するばね手段が設けられていることを特徴とする請求項１記載のトレー機構または請求項２記載の記録媒体駆動装置。
【請求項７】  前記トレー蓋が前記筐体に臨む箇所には、前記トレー本体が前記筐体内に引込まれた状態で前記開口部の周囲の筐体箇所に接触するクッション材が設けられていることを特徴とする請求項１記載のトレー機構または請求項２記載の記録媒体駆動装置。
【手続補正３】
【補正対象書類名】明細書
【補正対象項目名】０００１
【補正方法】変更
【補正の内容】
【０００１】
【発明の属する技術分野】
本発明はトレー機構および記録媒体駆動装置に関する。
【手続補正４】
【補正対象書類名】明細書
【補正対象項目名】０００２
【補正方法】変更
【補正の内容】
【０００２】
【従来の技術】
一般的に、記録媒体駆動装置には光ディスクを載置するトレーが筐体の内部と外部にわたって出没可能に設けられている。トレーは、光ディスクを載置するためのトレー本体と、該トレー本体の前部に設けられた矩形板状のトレー蓋とを備えており、トレー本体が筐体内に引込まれた状態でトレー蓋の背面が筐体外面に当接し、トレー蓋の外面が筐体外方に臨むように構成されている。
このような記録媒体駆動装置においては、筐体内の音が筐体外部に漏れたり、筐体内への塵埃が侵入したりすることを防ぐため、トレー本体が筐体内に引込まれた状態でトレー蓋の背面と筐体の外面との間を密閉する構成となっている。
例えば、トレー蓋をトレー本体の引込方向および突出方向に移動自在に設け、該トレー蓋を前記引込方向に付勢し、かつ、トレー蓋の背面に臨む筐体の外面箇所にシール部材を配設した構成が開示されている（特許文献１）。
このような構成では、トレー本体が筐体内に引込まれたときにトレー蓋の背面が筐体外面のシール部材に当接することにより、トレー蓋の背面と筐体の外面との間が密閉される。
【手続補正５】
【補正対象書類名】明細書
【補正対象項目名】０００４
【補正方法】変更
【補正の内容】
【０００４】
【発明が解決しようとする課題】
しかしながら、このようにトレー蓋をトレー本体に対して引込方向および突出方向に移動自在に設ける構成では、前記引込方向および突出方向と直交する方向におけるトレー蓋の位置決めを行なう部材をトレー本体とトレー蓋に設ける必要がある。このため、構成が複雑となり、小型化や低コスト化を図る上で不利であった。
本発明は、このような事情に鑑みてなされ、その目的とするところは、構成を簡素化し、小型化および低コスト化を図る上で有利なトレー機構および記録媒体駆動装置を提供することにある。
【手続補正６】
【補正対象書類名】明細書
【補正対象項目名】０００５
【補正方法】変更
【補正の内容】
【０００５】
【課題を解決するための手段】
本発明のトレー機構は、前記目的を達成するため、筐体に設けられた細長形状の開口部を介して該筐体の内部と外部にわたって出没可能に設けられたトレー本体と、前記トレー本体の前端に取着され、前記トレー本体が前記筐体内に引込まれた状態で前記筐体の外側に位置し前記開口部を覆う細長形状のトレー蓋とを備え、前記トレー蓋の前記トレー本体に対する取着は、前記トレー本体の前記出没する方向および前記トレー蓋の長手方向の双方向に対して直交する方向に延在する軸心を支点として揺動できるように、前記トレー蓋が前記トレー本体に結合されることでなされていることを特徴とする。
また、本発明の記録媒体駆動装置は、光ディスクを回転駆動する駆動手段と、前記駆動手段によって回転駆動する光ディスクに対し、光を照射し、前記光ディスクからの反射光を検出する光ヘッドと、前記駆動手段および光ヘッドを収容しその外面に操作部が設けられた筐体とを有し、前記筐体の内部と外部にわたって前記光ディスクの出し入れを行なうトレー機構を設けた記録媒体駆動装置において、前記トレー機構は、前記光ディスクが載置され、前記筐体に設けられた細長形状の開口部を介して該筐体の内部と外部にわたって出没可能に設けられるトレー本体と、前記トレー本体の前端に取着され、前記トレー本体が前記筐体内に引込まれた状態で前記筐体の外側に位置し前記開口部を覆う細長形状のトレー蓋とを備え、前記トレー蓋の前記トレー本体に対する取着は、前記トレー本体の前記出没する方向および前記トレー蓋の長手方向の双方向に対して直交する方向に延在する軸心を支点として揺動できるように、前記トレー蓋が前記トレー本体に結合されることでなされていることを特徴とする。
そのため、本発明によれば、トレー本体が筐体内に引込まれてトレー蓋が筐体の外側に位置し開口部を覆った状態で、トレー蓋が筐体の外面にならってトレー本体の出没する方向およびトレー蓋の長手方向の双方向に対して直交する方向に延在する軸心を支点として揺動される。
【手続補正７】
【補正対象書類名】明細書
【補正対象項目名】０００６
【補正方法】変更
【補正の内容】
【０００６】
【発明の実施の形態】
以下、本発明によるトレー機構および記録媒体駆動装置の実施の形態を図面に基づいて詳細に説明する。
図１は、本発明の第１の実施の形態における記録媒体駆動装置である光ディスク装置の構成を示すブロック図である。
光ディスク装置１００は、スピンドルモータ１０２、光ヘッド１０４、送りモータ１０６、サーボ制御部１０８、信号処理部１１０、インターフェース部１１２、操作手段１１４、表示手段１１６、トレー１０、トレー駆動手段２２、制御部１２４などを備えて構成されている。
前記スピンドルモータ１０２は、光ディスク１０１を回転駆動する駆動手段を構成するものである。
前記光ヘッド１０４は、回転する光ディスク１０１の信号記録面に対して光照射を行うことにより光ディスク１０１の信号記録面に対するに対する記録、再生を行うように構成されている。
前記送りモータ１０６は、前記光ヘッド１０４を光ディスク１０１の半径方向に駆動する駆動手段を構成している。
前記サーボ制御部１０８は、前記スピンドルモータ１０２の回転制御、光ヘッド１０４におけるフォーカスサーボ制御およびトラッキングサーボ制御、光ヘッド１０４の光ビームの出力制御などを行なうように構成されている。
【手続補正８】
【補正対象書類名】明細書
【補正対象項目名】０００８
【補正方法】変更
【補正の内容】
【０００８】
図２は本発明の実施の形態における記録媒体駆動装置である光ディスク装置のトレーが突出された状態を示す斜視図である。
図２に示すように、光ディスク装置１００は、高さと、高さよりも大きな寸法の幅と長さを有する矩形板状の筐体１３０を有している。
前記筐体１３０の外面１３１は、上下方向の高さと、この高さよりも大きな寸法の左右方向の幅を有し、外面１３１には、表示部１３２、開口部１３４、複数の操作ボタン１３６、電源スイッチ１３８などが設けられている。
前記表示部１３２は、前記外面１３１に幅方向に延在して設けられた光が透過可能な材料で構成され前記筐体１３０の一部を構成するカバー部材１３３と、該カバー部材の内側に配設された前記表示手段１１６を構成する前記ＬＥＤランプや文字表示器とを含んで構成され、前記表示手段１１６を構成している。本実施の形態では前記カバー部材１３３は透明なアクリル樹脂などで形成されている。
前記開口部１３４は、前記カバー部材１３３の中央箇所に、高さと該高さよりも大きな寸法の幅を有する細長形状に設けられている。
前記複数の操作ボタン１３６は、前記トレー駆動手段２２によるトレー１０の突出動作および引込動作を指示するためのトレー操作ボタンと、光ディスクに対する記録、再生、早送り、早戻しなどを指示するための各種操作ボタンなどを含んで構成され、前記操作手段１１４を構成している。
前記電源スイッチ１３８は、この光ディスク装置１００の電源のオンオフを行なうためのものであり、前記操作手段１１４を構成している。
【手続補正９】
【補正対象書類名】明細書
【補正対象項目名】００１９
【補正方法】変更
【補正の内容】
【００１９】
以上説明したように、本実施の形態によれば、トレー本体１２の出没する方向およびトレー蓋１６の長手方向の双方向に対して直交する方向に延在する軸心を支点としてトレー蓋１６が揺動できるように、トレー蓋１６を取付部材１４を介してトレー本体１２に結合した。
したがって、トレー本体１２が筐体１３０内に引込まれたときにトレー蓋１６の背面１６０４と筐体１３０の外面との間を確実に密閉することができるトレー機構および記録媒体駆動装置を、従来よりも少ない部品によって簡素な構成で実現でき、小型化や低コスト化を図る上で有利となる。
また、本実施の形態では、前記トレー蓋１６の前記トレー本体１２に対する取着は、前記連結片１６１４の先端が前記トレー本体１２に揺動可能に、かつ、前記トレー本体１２が前記筐体１３０内に引込まれた状態で前記開口部１３４を覆える範囲内で前記取付ねじ２０の軸心方向に移動可能に結合されることでなされている。
したがって、前記トレー蓋１６が前記筐体１３０の外面に対して上向きあるいは下向きに傾斜していても、トレー本体１２が筐体１３０内に引込まれたときにトレー蓋１６が取付ねじ２０の軸心方向に移動することで筐体１３０の外面にならって上向きあるいは下向きに傾斜され、トレー蓋１６の背面１６０４と筐体１３０の外面との間を確実に密閉することができる
また、本実施の形態では、前記トレー本体１２と前記トレー蓋１６との間に、前記トレー蓋１６が前記トレー本体１２の前辺に対して平行した状態で延在するように該トレー蓋１６を付勢するばね手段１９を設けたので、トレー本体１２が突出されてトレー蓋１６が筐体１３０から離間してもトレー蓋１６がトレー本体１２の前辺に対して平行した姿勢を保持でき、これによりトレー蓋１６がトレー本体１２に対してがたつくことを防止できる。
また、本実施の形態では、トレー蓋１６が前記筐体１３０に臨む箇所に、トレー本体１２が筐体１３０内に引込まれた状態で開口部１３４の周囲の筐体１３０箇所に接触するクッション材１８が設けられているので、筐体１３０内の音が筐体１３０の外部に漏れたり、筐体１３０内への塵埃が侵入したりすることを防止する上で有利である。
また、前記トレー蓋１６はクッション材１８を介して筐体１３０箇所に当接するため、前記トレー蓋１６が金属材料などのように硬い材料で形成され、筐体１３０箇所がアクリル樹脂などのように傷付きやすい材料で形成されている場合に筐体１３０箇所で傷が発生することを防止する上で有利となる。
また、本実施の形態によれば、トレー本体１２とトレー蓋１６との間にクッション材１８が設けられている。
したがって、例えば前記光ディスクの回転駆動や光ヘッドのサーボ動作に伴って筐体１３０の内部で発生した振動がトレー本体１２に伝達されたとしても、該トレー本体１２からトレー蓋１６に伝達される振動は、前記クッション材１８によって緩和されることになり、トレー蓋１６を介して筐体１３０の外部に伝わる振動および該振動によって生じる音を抑制する上で有利となる。
【手続補正１０】
【補正対象書類名】明細書
【補正対象項目名】００２０
【補正方法】変更
【補正の内容】
【００２０】
【発明の効果】
以上説明したように本発明によれば、構成を簡素化し、小型化および低コスト化を図る上で有利なトレー機構および記録媒体駆動装置を提供することができる。
【手続補正１１】
【補正対象書類名】明細書
【補正対象項目名】図面の簡単な説明
【補正方法】変更
【補正の内容】
【図面の簡単な説明】
【図１】
本発明の第１の実施の形態における記録媒体駆動装置である光ディスク装置の構成を示すブロック図である。
【図２】
本発明の実施の形態における記録媒体駆動装置である光ディスク装置のトレーが突出された状態を示す斜視図である。
【図３】
トレーの前部を後方から見た斜視図である。
【図４】
トレーの前部の縦断面図である。
【図５】
トレー蓋を後方から見た斜視図である。
【図６】
取付部材とばね部材の斜視図である。
【図７】
トレー本体が筐体内に引込まれた状態を示す図である。
【図８】
トレー本体が筐体内に引込まれた状態を示す図である。
【符号の説明】
１０……トレー、１２……トレー本体、１４……取付部材、１６……トレー蓋、１８……クッション材、１９……ばね部材、２０……取付ねじ、１００……光ディスク装置、１３０……筐体、１３３……カバー部材、１３４……開口部。